(57)【要約】      （修正有）【課題】２以上の使用周波数帯において、インピーダンス調整が容易で広帯域で動作可能なマルチバンドアンテナを提供する。【解決手段】マルチバンドアンテナ１００は、一端が給電部１０１に接続された主導体部と一端が地板１０２に接続された短絡導体部１１２とが、接続点で接続されて逆Ｆ型アンテナ１１０を形成している。また、一端が主導体部に接続された第１分岐導体部１２１と一端が短絡導体部１１２に接続された第２分岐導体部１２２とが、所定のギャップ幅Ｗｇで平行に配置されて平行２線式アンテナ１２０を形成している。逆Ｆ型アンテナ１１０と平行２線式アンテナ１２０とは、それぞれ異なる周波数帯で動作するように形成することができる。【選択図】図１
2009278376.tif 000002
【特許請求の範囲】
【請求項１】
一端が給電部に接続された主導体部と、
一端が地板に接続され他端が前記主導体部の所定位置の第１の接続点で接続された短絡導体部と、
一端が前記主導体部の所定位置の第２の接続点で接続された第１分岐導体部と、
一端が前記短絡導体部の所定位置の第３の接続点で接続された第２分岐導体部と、を備え、
前記主導体部と前記短絡導体部とが第１の周波数帯で動作する逆Ｆ型アンテナを形成し、
前記第１分岐導体部と前記第２分岐導体部の少なくとも一部が所定の分岐導体間ギャップ幅で略平行に配置されて第２の周波数帯で動作する第１の平行２線式アンテナを形成している
ことを特徴とするマルチバンドアンテナ。
【請求項２】
前記第２の接続点から前記給電部までの距離は、前記第１の接続点から前記給電部までの距離より短い
ことを特徴とする請求項１に記載のマルチバンドアンテナ。
【請求項３】
前記第３の接続点から前記地板までの距離は、前記第１の接続点から前記地板までの距離より短い
ことを特徴とする請求項１または２に記載のマルチバンドアンテナ。
【請求項４】
一端が給電部に接続された第１主導体部と、
一端が地板に接続された第２主導体部と、
一端が前記第１主導体部の所定位置の第２の接続点で接続された第１分岐導体部と、
一端が前記第２主導体部の所定位置の第３の接続点で接続された第２分岐導体部と、を備え、
前記第１主導体部と前記第２主導体部の少なくとも一部が所定の主導体間ギャップ幅で略平行に配置されて第１の周波数帯で動作する第２の平行２線式アンテナを形成し、
前記第１分岐導体部と前記第２分岐導体部の少なくとも一部が所定の分岐導体間ギャップ幅で略平行に配置されて第２の周波数帯で動作する第１の平行２線式アンテナを形成している
ことを特徴とするマルチバンドアンテナ。
【請求項５】
前記第２の周波数帯は、前記第１の周波数帯より高周波である
ことを特徴とする請求項１乃至４のいずれか１項に記載のマルチバンドアンテナ。
【請求項６】
前記第２の平行２線式アンテナの中心周波数および帯域幅は、前記第１主導体部と前記第２主導体部のそれぞれの長さ及び前記主導体間ギャップ幅を調整して決定されている
ことを特徴とする請求項４または５に記載のマルチバンドアンテナ。
【請求項７】
前記第１の平行２線式アンテナの中心周波数および帯域幅は、前記第１分岐導体部と前記第２分岐導体部のそれぞれの長さ及び前記分岐導体間ギャップ幅を調整して決定されている
ことを特徴とする請求項１乃至６のいずれか１項に記載のマルチバンドアンテナ。
【請求項８】
前記第２の平行２線式アンテナのインピーダンス調整は、前記第１主導体部と前記第２主導体部のそれぞれの長さ及び前記主導体間ギャップ幅を調整して行われている
ことを特徴とする請求項４または５に記載のマルチバンドアンテナ。
【請求項９】
前記第１の平行２線式アンテナのインピーダンス調整は、前記第１分岐導体部と前記第２分岐導体部のそれぞれの長さ及び前記分岐導体間ギャップ幅を調整して行われている
ことを特徴とする請求項１乃至６のいずれか１項に記載のマルチバンドアンテナ。
【請求項１０】
前記第１分岐導体部の他端と前記第２分岐導体部の他端とが短絡されている
ことを特徴とする請求項１乃至９のいずれか１項に記載のマルチバンドアンテナ。
【請求項１１】
前記第１分岐導体部と前記第２分岐導体部とが、それぞれの長手方向の中間位置で短絡されている
ことを特徴とする請求項１乃至９のいずれか１項に記載のマルチバンドアンテナ。
【請求項１２】
前記主導体部と前記第１分岐導体部と前記第２分岐導体部とが、所定の誘電体の表面または内部に配置されている
ことを特徴とする請求項１乃至１１のいずれか１項に記載のマルチバンドアンテナ。
【請求項１３】
前記主導体部と前記第１分岐導体部と前記第２分岐導体部とは、線状導体で形成されている
ことを特徴とする請求項１乃至１２のいずれか１項に記載のマルチバンドアンテナ。
【請求項１４】
前記主導体部と前記第１分岐導体部と前記第２分岐導体部とは、所定幅の平板状導体で形成されている
ことを特徴とする請求項１乃至１２のいずれか１項に記載のマルチバンドアンテナ。
【発明の詳細な説明】
【技術分野】
【０００１】
本発明は、２以上の周波数帯で動作するマルチバンドアンテナに関するものである。
【背景技術】
【０００２】
従来より、携帯電話等の無線通信機に用いられるアンテナとして、図６に示すような給電部９０１と地板９０２に接続された逆Ｆ型アンテナ９００がよく知られている。近年、このような無線通信機をマルチバンド（複数の周波数帯）で使用する用途が広まっており、これに対応してマルチバンドに対応した逆Ｆ型アンテナが用いられるようになっている。
【０００３】
マルチバンド対応の逆Ｆ型アンテナとして、たとえば特許文献１に記載のものが知られている。特許文献１に記載のアンテナ９１０は、図７に示すように、第１の周波数で動作する第１の逆Ｆ型アンテナ９１１と、第１の周波数よりも高い第２の周波数で動作する第２の逆Ｆ型アンテナ９１２が、相互に絶縁された状態で配置されている。これらの逆Ｆ型アンテナは、それぞれ別の整合回路に接続されており、それぞれが動作する周波数帯に合わせて独立して回路設計できる構成となっている。
【０００４】
また、マルチバンド対応の別の逆Ｆ型アンテナとして、図８に例示するように、逆Ｆ型アンテナ９００にブランチ９２１を１本追加することでマルチバンド化したものも広く用いられている。追加されたブランチ９２１は、主に高周波側の共振周波数の調整に用いられることが多い。ブランチ９２１の追加は、給電側、あるいは地板側に接続して行われることが多い。追加されるブランチは、１本だけに限らずさらに追加されたものも知られている。
【特許文献１】特開２００６−２９５８７６号公報
【発明の開示】
【発明が解決しようとする課題】
【０００５】
しかしながら、上記従来のマルチバンドアンテナでは、以下のような課題があった。特許文献１に記載されたアンテナ９１０では、逆Ｆ型アンテナを２つ別々に設けるスペースが必要となって小型化するのが困難である。また、整合回路も逆Ｆ型アンテナ毎に設けているため、回路構成が複雑になると同時に、その設置スペースが必要となって小型化を図るのがさらに困難になるといった問題がある。
【０００６】
また、逆Ｆ型アンテナにブランチを追加したアンテナ９２０では、小型化を容易に実現できるものの、ブランチの追加で実現される周波数帯ではインピーダンスを調整して十分な帯域を得ることが困難であった。特に、高周波側の共振周波数をブランチを追加して実現する場合、インピーダンス調整が容易でなく必要な帯域幅を得ることが難しいといった問題があった。
【０００７】
そこで、本発明は上記問題を解決するためになされたものであり、２以上の使用周波数帯においてインピーダンス調整が容易で広帯域で動作可能なマルチバンドアンテナを提供することを目的とする。
【課題を解決するための手段】
【０００８】
本発明のマルチバンドアンテナの第１の態様は、一端が給電部に接続された主導体部と、一端が地板に接続され他端が前記主導体部の所定位置の第１の接続点で接続された短絡導体部と、一端が前記主導体部の所定位置の第２の接続点で接続された第１分岐導体部と、一端が前記短絡導体部の所定位置の第３の接続点で接続された第２分岐導体部と、を備え、前記主導体部と前記短絡導体部とが第１の周波数帯で動作する逆Ｆ型アンテナを形成し、前記第１分岐導体部と前記第２分岐導体部の少なくとも一部が所定の分岐導体間ギャップ幅で略平行に配置されて第２の周波数帯で動作する第１の平行２線式アンテナを形成していることを特徴とする。
【０００９】
本発明のマルチバンドアンテナの他の態様は、前記第２の接続点から前記給電部までの距離は、前記第１の接続点から前記給電部までの距離より短いことを特徴とする。
【００１０】
本発明のマルチバンドアンテナの他の態様は、前記第３の接続点から前記地板までの距離は、前記第１の接続点から前記地板までの距離より短いことを特徴とする。
【００１１】
本発明のマルチバンドアンテナの他の態様は、一端が給電部に接続された第１主導体部と、一端が地板に接続された第２主導体部と、一端が前記第１主導体部の所定位置の第２の接続点で接続された第１分岐導体部と、一端が前記第２主導体部の所定位置の第３の接続点で接続された第２分岐導体部と、を備え、前記第１主導体部と前記第２主導体部の少なくとも一部が所定の主導体間ギャップ幅で略平行に配置されて第１の周波数帯で動作する第２の平行２線式アンテナを形成し、前記第１分岐導体部と前記第２分岐導体部の少なくとも一部が所定の分岐導体間ギャップ幅で略平行に配置されて第２の周波数帯で動作する第１の平行２線式アンテナを形成していることを特徴とする。
【００１２】
本発明のマルチバンドアンテナの他の態様は、前記第２の周波数帯は、前記第１の周波数帯より高周波であることを特徴とする。
【００１３】
本発明のマルチバンドアンテナの他の態様は、前記第２の平行２線式アンテナの中心周波数および帯域幅は、前記第１主導体部と前記第２主導体部のそれぞれの長さ及び前記主導体間ギャップ幅を調整して決定されていることを特徴とする。
【００１４】
本発明のマルチバンドアンテナの他の態様は、前記第１の平行２線式アンテナの中心周波数および帯域幅は、前記第１分岐導体部と前記第２分岐導体部のそれぞれの長さ及び前記分岐導体間ギャップ幅を調整して決定されていることを特徴とする。
【００１５】
本発明のマルチバンドアンテナの他の態様は、前記第２の平行２線式アンテナのインピーダンス調整は、前記第１主導体部と前記第２主導体部のそれぞれの長さ及び前記主導体間ギャップ幅を調整して行われていることを特徴とする。
【００１６】
本発明のマルチバンドアンテナの他の態様は、前記第１の平行２線式アンテナのインピーダンス調整は、前記第１分岐導体部と前記第２分岐導体部のそれぞれの長さ及び前記分岐導体間ギャップ幅を調整して行われていることを特徴とする。
【００１７】
本発明のマルチバンドアンテナの他の態様は、前記第１分岐導体部の他端と前記第２分岐導体部の他端とが短絡されていることを特徴とする。
【００１８】
本発明のマルチバンドアンテナの他の態様は、前記第１分岐導体部と前記第２分岐導体部とが、それぞれの長手方向の中間位置で短絡されていることを特徴とする。
【００１９】
本発明のマルチバンドアンテナの他の態様は、前記主導体部と前記第１分岐導体部と前記第２分岐導体部とが、所定の誘電体の表面または内部に配置されていることを特徴とする。
【００２０】
本発明のマルチバンドアンテナの他の態様は、前記主導体部と前記第１分岐導体部と前記第２分岐導体部とは、線状導体で形成されていることを特徴とする。
【００２１】
本発明のマルチバンドアンテナの他の態様は、前記主導体部と前記第１分岐導体部と前記第２分岐導体部とは、所定幅の平板状導体で形成されていることを特徴とする。
【発明の効果】
【００２２】
本発明によれば、２以上の使用周波数帯においてインピーダンス調整が容易で広帯域で動作可能なマルチバンドアンテナを提供することが可能となる。
【発明を実施するための最良の形態】
【００２３】
本発明の好ましい実施の形態におけるマルチバンドアンテナについて、図面を参照して詳細に説明する。なお、同一機能を有する各構成部については、図示及び説明簡略化のため、同一符号を付して示す。
【００２４】
図１は、本発明の第１の実施の形態に係るマルチバンドアンテナの構成を模式的に示す斜視図である。本実施形態のマルチバンドアンテナ１００は、一端が給電部１０１に接続されて地板１０２に対し垂直の方向に立設する垂直導体部１１１ａと、垂直導体部１１１ａの他端で地板１０２に対し平行となるように屈曲された水平導体部１１１ｂとからなる主導体部１１１と、一端が地板１０２に接続され他端が水平導体部１１１ｂの所定位置の第１の接続点１１３ａに接続された短絡導体部１１２と、一端が主導体部１１１の所定位置の第２の接続点１１３ｂに接続された第１分岐導体部１２１と、一端が短絡導体部１１２の所定位置の第３の接続点１１３ｃに接続された第２分岐導体部１２２とを備えている。
【００２５】
本実施形態のマルチバンドアンテナ１００では、主導体部１１１と短絡導体部１１２とが第１の接続点（オフセット給電位置）１１３ａで接続されて逆Ｆ型アンテナ１１０を形成しており、また、第１分岐導体部１２１と第２分岐導体部１２２の長手方向の一部が所定の分岐導体間ギャップ幅Ｗｇで平行に配置されて平行２線式アンテナ（第１の平行２線式アンテナ）１２０を形成している。平行２線式アンテナを形成するためには、第１分岐導体部１２１と第２分岐導体部１２２の少なくとも一部が平行に配置されている必要がある。逆Ｆ型アンテナ１１０と平行２線式アンテナ１２０とは、それぞれ異なる周波数帯で動作するように形成することができ、マルチバンドアンテナ１００は２つの周波数帯で動作するアンテナとなる。以下では、逆Ｆ型アンテナ１１０および平行２線式アンテナ１２０の動作周波数帯を、それぞれ第１の周波数帯、第２の周波数帯とする。
【００２６】
第１の周波数帯の中心周波数は、例えば主導体部１１１の長さを変更することで調整することができる。また、第２の周波数帯の中心周波数及び帯域幅は、第１分岐導体部１２１および第２分岐導体部１２２の長さおよび分岐導体間ギャップ幅Ｗｇ等を変更してインピーダンスを調整することで好適に設定調整することができる。本実施形態では、第１分岐導体部１２１および第２分岐導体部１２２の長さを主導体部１１１の長さより短くすることで、第２の周波数帯を第１の周波数帯より高周波側としている。
【００２７】
主導体部１１１の水平導体部１１１ｂは、適宜屈曲させることが可能である。本実施形態では、水平導体部１１１ｂの開放端側を略コの字型に屈曲させているが、これに限らず例えば水平導体部１１１ｂの中間部分を適宜屈曲させることもできる。長尺の主導体部１１１を適宜屈曲させることで、マルチバンドアンテナ１００を小型化することが可能となる。また、水平導体部１１１ｂと短絡導体部１１２とを接続する第１の接続点１１３ａの位置を調整することで、逆Ｆ型アンテナ１１０のインピーダンス特性を調整して帯域幅等を好適に設定することができる。
【００２８】
第１分岐導体部１２１は、一端が主導体部１１１の垂直導体部１１１ａに設けた第２の接続点１１３ｂから分岐させて配索されているが、第２の接続点１１３ｂから給電部１０１までの距離を第１の接続点１１３ａから給電部１０１までの距離よりも短くして給電部１０１に近い位置とするのが好ましい。あるいは、第１分岐導体部１２１の一端を給電部１０１に直接接続するようにしてもよい。また、第２分岐導体部１２２は、一端が短絡導体部１１２に設けた第３の接続点１１３ｃから分岐させて配索されているが、第３の接続点１１３ｃから地板１０２までの距離を第１の接続点１１３ａから地板１０２までの距離よりも短くして地板１０２に近い位置とするのが好ましい。あるいは、第２分岐導体部１２２の一端を地板１０２に直接接続するようにしてもよい。
【００２９】
本実施形態のマルチバンドアンテナ１００では、逆Ｆ型アンテナ１１０が動作する第１の周波数帯よりも高周波側の第２の周波数帯で平行２線式アンテナ１２０が動作するが、第２の周波数帯の中心周波数および帯域幅は、第１分岐導体部１２１および第２分岐導体部１２２の長さ及び分岐導体間ギャップ幅Ｗｇを調整することで好適に設定することができる。平行２線式アンテナ１２０では、第１分岐導体部１２１と第２分岐導体部１２２との分岐導体間ギャップ幅Ｗｇを変更することで、帯域幅を比較的容易に調整することが可能であり、第２の周波数帯域を広帯域化することができる。
【００３０】
また、上記のように第２の接続点１１３ｂを給電部１０１に近付け、第３の接続点１１３ｃを地板１０２に近付けることで、低周波側の第１の周波数帯への影響を最小限におさえながら高周波側の第２の周波数帯の調整を行うことが可能となる。
【００３１】
インピーダンスを好適に調整して使用する周波数帯域を広帯域化することで、使用帯域での放射効率を高めることが可能となる。本実施形態のマルチバンドアンテナ１００の放射効率の一例を図２に示す。図２では、横軸を周波数とし縦軸を放射効率としたグラフを示しており、同図（ａ）は低周波側の第１の周波数帯における放射効率を、また同図（ｂ）は高周波側の第２の周波数帯における放射効率をそれぞれ示している。さらに、符号１１は本実施形態のマルチバンドアンテナ１００の放射効率を示し、符号１２は図８に示した従来のマルチバンドアンテナ９２０の放射効率を示している。
【００３２】
図２（ａ）より、低周波側の第１の周波数帯では、本実施形態のマルチバンドアンテナ１００の放射効率１１と従来のマルチバンドアンテナ９２０の放射効率１２とでほとんど差がないことが分かる。これは、ともに逆Ｆ型アンテナの動作によるものであり、本実施形態の逆Ｆ型アンテナ１１０と従来の逆Ｆ型アンテナ９２１とでほとんど差がないことを示している。
【００３３】
これに対し図２（ｂ）に示す高周波側の第２の周波数帯では、本実施形態のマルチバンドアンテナ１００の放射効率１１が従来のマルチバンドアンテナ９２０の放射効率１２より広い帯域にわたって改善されていることが分かる。このように、本実施形態のマルチバンドアンテナ１００では、第１分岐導体部１２１と第２分岐導体部１２２との間の分岐導体間ギャップ幅Ｗｇを調整することで、低周波側の第１の周波数帯への影響を最小限におさえながら高周波側の放射効率を広帯域にわたって高めることが可能となっている。
【００３４】
図１に示した本実施形態のマルチバンドアンテナ１００では、主導体部１１１、短絡導体部１１２、第１分岐導体部１２１、および第２分岐導体部１２２は、すべて線状導体で形成されているものとしているが、これに限らず例えば所定幅の平板状導体を用いて形成することも可能である。
また、本実施形態では主導体部１１１の一端側を給電部１０１に接続し、主導体部１１１の途中に位置する第１の接続点１１３ａから短絡導体部１１２を地板１０２に接続しているが、給電部１０１および地板１０２への接続位置を逆にしてもよい。すなわち、主導体部１１１の一端側を地板１０２に接続し、第１の接続点１１３ａから所定の導体で給電部１０１に接続するように構成することも可能である。
【００３５】
第１の実施形態のマルチバンドアンテナ１００として、各導体部の配線を具体的に示した実施例を図３に示す。図３（ａ）は、マルチバンドアンテナ１００’の斜視図を示しており、図３（ｂ）はマルチバンドアンテナ１００’と地板１０２との配置関係を示す平面図である。本実施例のマルチバンドアンテナ１００’では、主導体部１１１、短絡導体部１１２、第１分岐導体部１２１、および第２分岐導体部１２２が、それぞれ所定幅を有する平板状導体で形成されている。マルチバンドアンテナ１００’は、地板１０２の一端に隣接して配置されており、マルチバンドアンテナ１００’を地板１０２に接続させるための地板用パッド１０２ａを設けている。
【００３６】
一端が給電部１０１に接続された垂直導体部１１１ａは、地板用パッド１０２ａに対し所定の高さＨで立設されており、垂直導体部１１１ａの他端から水平導体部１１１ｂが地板１０２に対し平行な面上を周回するように配設されている。また、水平導体部１１１ｂの途中に設けられた第１の接続点（オフセット給電位置）１１３ａから所定の導体部１１４を分岐し、これを地板用パッド１０２ａに接続されて略垂直に立設された短絡導体部１１２に接続している。本実施例では、導体部１１４を設けて水平導体部１１１ｂと短絡導体部１１２とを接続しているが、このような導体部１１４を追加することで逆Ｆ型アンテナ１１０の帯域幅等を調整することができる。また、水平導体部１１１ｂと導体部１１４とを接続する第１の接続点１１３ａの位置を調整することでも、逆Ｆ型アンテナ１１０の帯域幅等の特性を好適にすることができる。
【００３７】
垂直導体部１１１ａの他端には、水平導体部１１１ｂとは反対側に第１分岐導体部１２１が地板１０２に対し平行に配設されている。また、地板用パッド１０２ａに接続されて所定の高さまで略垂直に立設された後水平方向に屈曲された第２分岐導体部１２２が配設されている。第１分岐導体部１２１と第２分岐導体部１２２とが、開放端側の所定の長さだけ所定の分岐導体間ギャップ幅Ｗｇで略平行に配設されて平行２線式アンテナ１２０を形成している。
【００３８】
上記構成の本実施例のマルチバンドアンテナ１００’では、平行２線式アンテナ１２０を形成する第１分岐導体部１２１と第２分岐導体部１２２とが略平行に近接配置される長さおよび分岐導体間ギャップ幅Ｗｇを調整することで、高周波側の中心周波数、帯域幅等を好適に設定して良好なアンテナ特性が得られるようにすることができる。また、水平導体部１１１ｂと短絡導体部１１２との距離を、たとえば導体部１１４の長さを変更することで調整することができ、これによって逆Ｆ型アンテナ１１０の中心周波数や帯域幅等を調整することができる。
【００３９】
本発明の第２の実施の形態に係るマルチバンドアンテナの構成を、図４を用いて説明する。図４は、第２の実施形態のマルチバンドアンテナ２００の概略構成を模式的に示す斜視図である。本実施形態のマルチバンドアンテナ２００では、第１分岐導体部１２１と第２分岐導体部１２２との間を短絡線２０１で短絡させている。このように、第１分岐導体部１２１と第２分岐導体部１２２とを短絡線２０１で短絡させて構成される平行２線式アンテナ２２０でも、第１の実施形態の平行２線式アンテナ１２０と同様に所定の高周波帯で動作させることができる。
【００４０】
図４に示すマルチバンドアンテナ２００では、第１分岐導体部１２１の端部と第２分岐導体部１２２の端部とを短絡線２０１で接続しているが、必ずしも端部同士を接続する必要はなく、それぞれの長手方向の途中を短絡線２０１で接続するようにしてもよい。短絡線２０１を接続する位置を変更することで、平行２線式アンテナ２２０の帯域幅等の特性を調整することができる。
【００４１】
本発明の第３の実施の形態に係るマルチバンドアンテナの構成を、図５を用いて説明する。図５は、第２の実施形態のマルチバンドアンテナ３００の概略構成を模式的に示す斜視図である。本実施形態のマルチバンドアンテナ３００では、第１の実施形態及び第２の実施形態の逆Ｆ型アンテナ１１０に代えて、第１主導体部３１１と第２主導体部３１２とを有する第２の平行２線式アンテナ３１０が設けられている。これにより、本実施形態のマルチバンドアンテナ３００は、第１の平行２線式アンテナ１２０と第２の平行２線式アンテナ３１０の２つの平行２線式アンテナで構成される。
【００４２】
第２の平行２線式アンテナ３１０は、第１の実施形態の逆Ｆ型アンテナ１１０と同様に低周波側の第１の周波数帯で動作することができる。すなわち、第１主導体部３１１と第２主導体部３１２のそれぞれの長さを調整することで、第２の平行２線式アンテナ３１０を第１の周波数帯で動作させることができる。また、第２の平行２線式アンテナ３１０では、第１主導体部３１１と第２主導体部３１２との主導体間ギャップ幅を調整することで、第１の周波数帯の帯域幅を広帯域にすることが可能となる。
【００４３】
図５では、第１主導体部３１１と第２主導体部３１２との間が開放されているが、それぞれの開放端を所定の導体で短絡させてもよく、あるいはそれぞれの中間位置を所定の導体で短絡させてもよい。第１主導体部３１１と第２主導体部３１２との間を短絡することで、第２の平行２線式アンテナ３１０の特性を調整することができる。第１の平行２線式アンテナ１２０についても、第２の実施形態と同様に、第１分岐導体部１２１と第２分岐導体部１２２との間を短絡線２０１で短絡させることができる。
【００４４】
本発明のマルチバンドアンテナのさらに別の実施形態として、逆Ｆ型アンテナ１１０および平行２線式アンテナ１２０を所定の誘電体の表面または内部に配置することができる。すなわち、逆Ｆ型アンテナ１１０の主導体部１１１、および平行２線式アンテナ１２０の第１分岐導体部１２１と第２分岐導体部１２２とを所定の誘電体の一方の面上に配置し、他方の面に給電部１０１および地板１０２を配置するように形成することができる。あるいは、主導体部１１１と第１分岐導体部１２１と第２分岐導体部１２２とを誘電体の内部に配置するように構成することも可能である。逆Ｆ型アンテナ１１０および平行２線式アンテナ１２０を所定の誘電体の表面または内部に配置することで、誘電体の誘電率による波長短縮効果を利用してさらに小型化することができる。
【００４５】
同様に、第３の実施形態の第１の平行２線式アンテナ１２０と第２の平行２線式アンテナ３１０を、所定の誘電体の表面または内部に配置することもできる。このように構成することで、誘電体の誘電率による波長短縮効果を利用して第１の平行２線式アンテナ１２０および第２の平行２線式アンテナ３１０の長さを短縮することができる。
【００４６】
本発明のマルチバンドアンテナのさらに別の実施形態として、第１分岐導体部１２１および第２分岐導体部１２２以外に、さらに別の分岐導体部を追加することも可能である。これにより、さらに別の周波数帯でも動作させるようにすることも可能となる。
【００４７】
なお、本実施の形態における記述は、本発明に係るマルチバンドアンテナの一例を示すものであり、これに限定されるものではない。本実施の形態におけるマルチバンドアンテナの細部構成及び詳細な動作等に関しては、本発明の趣旨を逸脱しない範囲で適宜変更可能である。
【図面の簡単な説明】
【００４８】
【図１】本発明の第１の実施形態に係るマルチバンドアンテナの構成を模式的に示す斜視図である。
【図２】第１の実施形態のマルチバンドアンテナの放射効率の一例を示す図である。
【図３】第１の実施形態のマルチバンドアンテナの実施例を示す斜視図である。
【図４】本発明の第２の実施形態に係るマルチバンドアンテナの構成を模式的に示す斜視図である。
【図５】本発明の第３の実施形態に係るマルチバンドアンテナの構成を模式的に示す斜視図である。
【図６】従来の逆Ｆ型アンテナの構成を模式的に示す斜視図である。
【図７】従来のマルチバンドアンテナの構成を示す斜視図である。
【図８】従来の別のマルチバンドアンテナの構成を模式的に示す斜視図である。
【符号の説明】
【００４９】
１００、２００、３００、９１０、９２０    マルチバンドアンテナ
１０１，９０１    給電部
１０２，９０２    地板
１１０、９００、９１１、９１２    逆Ｆ型アンテナ
１１１    主導体部
１１１ａ  垂直導体部
１１１ｂ  水平導体部
１１２    短絡導体部
１１３    接続点
１２０、２２０    第１の平行２線式アンテナ
１２１    第１分岐導体部
１２２    第２分岐導体部
２０１    短絡線
３１０    第２の平行２線式アンテナ
３１１    第１主導体部
３１２    第２主導体部
９２１    ブランチ
【図１】
2009278376.tif 000003
【図２】
2009278376.tif 000004
【図３】
2009278376.tif 000005
【図４】
2009278376.tif 000006
【図５】
2009278376.tif 000007
【図６】
2009278376.tif 000008
【図７】
2009278376.tif 000009
【図８】
2009278376.tif 000010